(57)【要約】    【課題】  脚柱と本体との固定を強化した鍵盤楽器を提供することを目的とする。    【解決手段】  複数の演奏操作子からなる演奏操作部２と、複数種類の枠体構成部材からなり、それらの端部を各々当接させて演奏操作部２を囲むように形成し、保持した枠体３と、枠体３を支持する支持部材とからなる楽器１において、前記複数種類の枠体構成部材は、一対の側部３ａと口棒部３ｂと背面部３ｃとでなり、支持部材は脚柱６を含み、脚柱６は一端が床まで延設し、他端が枠体３の上部近傍まで伴設して枠体３に固着して構成するとともに、少なくとも口棒部３ｂと側部３ａとに結合され、枠体３の水平方向の剛性を高める補強部材５と、一端が脚柱６に他端が補強部材５に連結されるステー部材１６とを設け、複数種類の枠体構成部材がそれぞれその端部で交わる内側で、ステー部材１６の他端が補強部材５に配設されるようにした。【選択図】  図１
2005172973.tif 000002
【特許請求の範囲】
【請求項１】
複数の演奏操作子からなる演奏操作部と、
複数種類の枠体構成部材からなり、それらの端部を各々当接させて前記演奏操作部を囲むように形成し、保持した枠体と、該枠体を支持する支持部材とからなる楽器において、
前記複数種類の枠体構成部材は、一対の側部と口棒部と背面部とでなり、
前記支持部材は脚柱を含み、該脚柱は一端が床まで延設し、他端が前記枠体の上部近傍まで伴設して前記枠体に固着して構成するとともに、
少なくとも前記口棒部と側部とに結合され、前記枠体の水平方向の剛性を高める補強部材と、
一端が前記脚柱に他端が前記補強部材に連結されるステー部材とを設け、
前記複数種類の枠体構成部材がそれぞれその端部で交わる内側で、前記ステー部材の他端が前記補強部材に配設されるようにしたことを特徴とする楽器。
【請求項２】
前記補強部材は、前記演奏操作部が載置された前記棚板であって、前記一対の側部と前記口棒部とを下方で連結するようにした棚板で構成されていることを特徴とする請求項１記載の楽器。
【請求項３】
前記ステー部材は、前記一端と他端とが前記脚柱と前記補強部材とに固定するＬ字形の連結部材で連結され、この連結部材の各辺を前記脚柱と前記補強部材とに固着するようにしたことを特徴とする請求項１又は２に記載の楽器。
【請求項４】
前記支持部材は、前記口棒部と前記一対の側部との枠体構成部材がそれぞれ交わるコーナーに配置される脚柱と、前記背面部近傍の棚板下面において前記複数の演奏操作部の並び方向に幅を有して設置床から立設した支持部材とで形成したことを特徴とする請求項２記載の楽器。
【発明の詳細な説明】
【技術分野】
【０００１】
本発明は、床等に脚部材等の支持部材を介して床から離間して演奏操作部を保持した枠体を支持するようにした楽器に関する。
【背景技術】
【０００２】
従来において、鍵盤楽器、自然楽器等でコンソール型の楽器は、演奏操作部を保持した枠体と、該枠体荷重の一部又は全部を支える支持部材とを備えたものがある。枠体と支持部材との取付構造としては、側板及び口棒からなる枠体構成部材と金属製隅木とによって脚柱等の支持部材を接合してボルト・ナットで緊結する構造（以下、第１従来技術という。例えば、特許文献１参照）、腕木と脚柱とを埋め込みボルトで緊結する構造（以下、第２従来技術という。例えば、特許文献２参照）、或いは、脚柱側に設けた一対のガイド部材に対応して楽器本体側に一つの被ガイド部材を設け、該ガイド部材に、上記被ガイド部材の後方への移送によりそれに直交する方向の位置を規制する拡開部、傾斜部、及び位置決め部と、前後方向の位置を規制するストッパ部とを設けることによって、楽器本体をガイド部材の上に載せて後方へ停止するまで移動させて取り付ける構造（以下、第３従来技術という。例えば、特許文献３参照）等が知られている。
【特許文献１】実開昭６０−１３４９０９号公報
【特許文献２】実開昭５６−１７５８９０号公報
【特許文献３】特許第２７４５９５２号公報
【発明の開示】
【発明が解決しようとする課題】
【０００３】
しかしながら、上記第１従来技術では、脚柱の取付構造が、脚柱の長軸回りのねじれに対する剛性を確保すること主目的としており、脚柱が倒れる方向に対する剛性が不十分となることがあった。また、上記第２従来技術にいても、埋め込みボルトのみで脚柱と枠体とを結合しているので、脚柱が倒れる方向に対する剛性が不十分となることがあった。さらに、上記第３従来技術では、ガイド部材及び被ガイド部材の形状を工夫することで脚柱が倒れる方向への剛性を確保することができるが、主として脚柱が板状のものに適用される取付構造であった。
【０００４】
そこで、本発明は、枠体を支持する支持部材が棒状の脚柱を含む場合であっても、脚柱が倒れる方向に対してもその剛性を高めた脚柱取付構造を有する楽器を提供することを目的とする。
【課題を解決するための手段】
【０００５】
上記目的を達成するため、本発明に係る楽器の第１の手段は、複数の演奏操作子からなる演奏操作部と、複数種類の枠体構成部材からなり、それらの端部を各々当接させて前記演奏操作部を囲むように形成し、保持した枠体と、該枠体を支持する支持部材とからなる楽器において、前記複数種類の枠体構成部材は、一対の側部と口棒部と背面部とでなり、前記支持部材は脚柱を含み、該脚柱は一端が床まで延設し、他端が前記枠体の上部近傍まで伴設して前記枠体に固着して構成するとともに、少なくとも前記口棒部と側部とに結合され、前記枠体の水平方向の剛性を高める補強部材と、一端が前記脚柱に他端が前記補強部材に連結されるステー部材とを設け、前記複数種類の枠体構成部材がそれぞれその端部で交わる内側で、前記ステー部材の他端が前記補強部材に配設されるようにしたことを特徴とする。
【０００６】
また、本発明に係る第２の手段は、上記第１の手段において、前記補強部材が、前記演奏操作部が載置された前記棚板であって、前記一対の側部と前記口棒部とを下方で連結するようにした棚板で構成されていることを特徴とする。
【０００７】
また、本発明に係る第３の手段は、上記第１又は第２の手段において、前記ステー部材が、前記一端と他端とが前記脚柱と前記補強部材とに固定するＬ字形の連結部材で連結され、この連結部材の各辺を前記脚柱と前記補強部材とに固着するようにしたことを特徴とする。
【０００８】
さらに、本発明に係る第４の手段は、上記第２の手段において、前記支持部材が、前記口棒部と前記一対の側部との枠体構成部材がそれぞれ交わるコーナーに配置される脚柱と、前記背面部近傍の棚板下面において前記複数の演奏操作部の並び方向に幅を有して設置床から立設した支持部材とで形成したことを特徴とする。
【発明の効果】
【０００９】
上記のように、本発明に係る楽器によれば、脚柱の他端を枠体の上部近傍まで伴設して枠体に固着し、ステー部材によって補強部材と連結し、該ステー部材の補強部材との連結端をコーナーで交わる各端面内側に配設することにより、脚柱の倒れる方向への剛性を確保することができ、枠体と脚柱との強固な固定が得られる。
【００１０】
また、ステー部材を、前記一端と他端とが前記脚柱と前記補強部材とに固定するＬ字形の連結部材で連結し、この連結部材の各辺を前記脚柱と前記補強部材とに固着することで、脚柱の倒れる方向への剛性が更に高まる。
【発明を実施するための最良の形態】
【００１１】
本発明に係る楽器の第１実施形態について、電子鍵盤楽器を例として、以下に図１〜５を参照して説明する。なお、全図を通し、同様の構成部分には同符号を付した。
【００１２】
楽器１は、図１に示すように、複数の演奏操作子からなる演奏操作部２と、演奏操作部２を囲むように形成し保持した枠体３と、枠体３を支持する支持部材とを有している。
【００１３】
前記演奏操作子は、楽器を演奏する際に操作することで発音に寄与するパーツであり、自然楽器ではアコースティックの個々の発音体等であり、鍵盤楽器では鍵であるが、本例の電子鍵盤楽器では鍵である。演奏操作子が複数個集合することにより、一つの演奏操作部２が構成される。本例では、演奏操作部２は鍵盤である。
【００１４】
枠体３は、左右一対の側部３ａと、口棒部３ｂと、背面部３ｃとを枠体構成部材としている。一対の側部３ａは、枠体３を構成するために両側に配置される部材であり、第１実施形態では側板を示しているが、斯かる側板に限らず、例えば、Ｌ型アングルのような枠体からなるものにベース体を固着して側部としても良い。
【００１５】
枠体３の水平方向の剛性を高めるために、少なくとも口棒部３ｂと側部３ａとに補強部材５が結合されている。補強部材５は、図示例においては棚板であるが、これに限定されるものではない。補強部材５も楽器の種類等に応じて、種々の形態・材料のものを採用することができる。
【００１６】
前記支持部材は、広く“枠体３を支持する部材”を意味し、脚柱６を含む部材である。即ち、楽器の種類によっては、３本又は４本の脚柱のみによって枠体を支持するタイプのものや、前側に２本の脚柱を立設して後側には板状体を立設して枠体を支持するタイプのものがある。また、図示例の如く、背面部３ｃ近傍の棚板下面において複数の演奏操作子の並び方向に幅を有して設置床から立設した部材、例えば、図示の如く補強部材５である棚板の下面に設けたスピーカーボックスＳ１，Ｓ２が、後方の枠体重量を支える支持部材にもなっているタイプもある。ここで、本明細書において、演奏者の位置する側を「前」とし、その反対側を「後」とする。なお、図１に於いて、符号Ｃは、電源、アンプ、音源等を収容している収容ボックスであり、該収容ボックスも支持部材の構成要素となり得る。符号Ｒ１、Ｒ２、Ｒ３は、アップライトピアノをイメージするために装飾的に設置された背面板である。
【００１７】
支持部材の構成要素である脚柱６は、一端が床まで延設し、他端が枠体３の上部近傍まで伴設して、枠体３に固着して構成されている。図示例において、脚柱６は、口棒部３ｂと一対の側部３ａとの枠体構成部材がそれぞれ交わるコーナーに配設されている。即ち、図２に示すように、脚柱６に側部３ａを構成する側板と口棒部３ｂとが接合されている。この実施形態では、図２に示すように、側部３ａ及び口棒部３ｂと、金属製隅木７とによって、脚柱６を接合してネジ８で緊結している。
【００１８】
金属製隅木７は、脚柱６に直接、ねじにて接合するのではなく、図２，図３に示すように、脚柱６に下地金属板９をねじ１０によって固定し、この下地金属板９にタッピングした雌ねじ部にネジ８を螺締することにより、側部３ａ及び口棒部３ｂと脚柱６とを結合させている。補強部材５を構成する棚板は、図２，３に示すように、側部３ａ及び口棒部３ｂの縁部に、アングル金具１１を介する等して、ネジ止めされている。
【００１９】
脚柱６に固定された下地金属板９は、補強部材５を構成する棚板より下部位置から該棚板を越えて枠体３の上部近傍まで延設され、該棚板の下部位置では、Ｌ字形の連結部材１２の一辺１２Ａが、ネジ１３によって下地金属板９に締結されて固着されている。Ｌ字形の連結部材１２は、他辺１２Ｂが、補強部材５を構成する棚板の下面に固着されている。図示例では、連結部材１２の他辺１２Ｂは、補強部材５を構成する棚板に埋め込まれた鬼目ナット１４にボルト１５を螺締して結合されている。なお、図５に示されているボルト１５−１，１５−２，１５−３，１５−４は、省略することが可能である。
【００２０】
Ｌ字形の連結部材１２にはステー部材１６が結合され、それによってステー部材１６は、一端が脚柱６に連結され、他端が補強部材５を構成している棚板に連結されている。ステー部材１６は、ネジ１７によって連結部材１２に結合されている。
【００２１】
ステー部材１６は、その他端が前記複数種類の枠体構成部材がそれぞれの端部で交わる内側で、補強部材５に配設されるようになっている。ステー部材１６を斯かる配置構成とすることにより、楽器を正面及び側面から見た場合に、ステー部材１６を側部３ａ及び口棒部３ｂに沿って取り付けた場合に比較して、ステー部材１６が目立ちにくくデザイン的にも好ましい。本例では、図５に示すように、ステー部材１６の補強部材５（棚板）との固着端は、ステー部材１６の補強部材５への鉛直投影が口棒部３ｂ及び側部３ａに対してほぼ４５度の角度をなすように配置されている。
【００２２】
連結部材１２は、図５に点線で示すように、略溝形の部材としても良い。この場合、ステー部材取付面である連結部材１２の一辺１２Ａの両側に補強板部１２ＡＡ、１２ＡＢを延設させ、この補強板部１２ＡＡ、１２ＡＢをもネジ１３にて脚柱６へと螺着するようにしている。これによって、連結部材１２とステー部材１６とが強固に脚柱６に固着され、連結部材１２の他辺１２Ｂに補強部材５を構成する棚板が固着されて、脚柱６と枠体３とが強着される。さらにこの実施形態の変形例として、図６の水平断面図に示すように、下地金属板９を略溝形の連結部材１２に重なり且つ脚柱６の外形に適合する略溝形として、形成配置するようにしても良い。
【００２３】
上記構成を有する楽器１は、ステー部材１６によって脚柱６と枠体３の補強部材５とを連結固定しているので、枠体３と脚柱６とが強固に固定され、脚柱６が倒れる方向に対しても剛性が高められている。斯かる脚柱取付構造は、特に、脚柱の柱頭等のような棚板に対する座部を有しない、スマートなデザインの脚柱を備える鍵盤楽器に有利である。
【００２４】
また、ステー部材１６に加えて、Ｌ字形の連結部材１２を補強部材５と脚柱６との交差部分に固着することにより、脚柱６と枠体３との固定が、より強固なものとなる。
【００２５】
更に、脚柱６には、補強部材５を構成する棚板の下部から上部へ亘って下地金属板９が固着され、補強部材５より上部では、下地金属板９に金属製隅木７が螺締されて枠体３と脚柱６とを緊結するとともに、補強部材５より下部では、下地金属板９にＬ字形の連結部材１２の一辺１２Ａが固着され、Ｌ字形の連結部材１２の他辺１２Ｂが補強部材５を構成する棚板に固着され、Ｌ字形の連結部材１２にステー部材１６が連結されているから、脚柱６と枠体３との強固な固定が得られる。
【００２６】
次に、本発明に係る楽器の第２実施形態について、図７を参照しつつ説明する。なお、上記第１実施形態と同様の構成部分については、同符号を付した。
【００２７】
第２実施形態は、マリンバ、シロフォン、鉄琴、グロッケン等に適した実施形態であり、補強部材５が、上記第１実施形態にあった棚板ではなく、枠体３の底部の隅角部において口棒部３ｂと一対の側部３ａとに掛け渡して結合した長尺板状材である。
【００２８】
図示例の補強部材５は、その各端部が口棒部３ｂ及び側部３ａにネジ止め等により固着されている。斯かる構成の補強部材５は、脚柱６に固着された連結部材１２に支持されるとともにネジ留め等によって固着されている。連結部材１２の一辺１２Ａには、ステー部材１６の一端が固定され、連結部材１２の他辺１２Ｂにはステー部材１６の他端が固定されている。図示例において、ステー部材１６は、連結部材１２を介して補強部材５に固着されているが、連結部材１２を省いて、ステー部材１６を直接、補強部材５に固着しても良い。
【００２９】
側部３ａの前後部には、Ｌ字形の座部２０が固着され、座部２０は、枠体３の４隅に４個配設されている（図では１個のみ表示）。座部２０の上にベース台２１が側部３ａに沿って架設されるとともにビス等により固着されている。ベース台２１上に枕木２２が架設されている。枕木２２は、枠体３の前後部に平行に２本架設されている。枕木２２の上に、発音体２３が載置される。各々の発音体２３の直下に図示しない共鳴パイプを設置することができ、発音体２３をマレット（不図示）で叩けば、発音体２３が発音し、前記共鳴パイプが共鳴するようになっている。
【００３０】
上記構成を有する第２実施形態の楽器においても、上記第１実施形態と同様に、枠体３と脚柱６とが強固に固定され、脚柱６が倒れる方向に対しても剛性が高められている等の効果を有する。
【図面の簡単な説明】
【００３１】
【図１】本発明に係る楽器の第１実施形態を示し、図１（ａ）は正面図、図１（ｂ）は右側面図である。
【図２】図１（ｂ）のＡ−Ａ視に相当する内部構造の一部を示す平面図である。
【図３】図２のＢ−Ｂ視断面図である。
【図４】図２の矢視Ｃ方向から見た一部断面図である。
【図５】図１（ｂ）に矢視Ｄ方向であって図２の矢視Ｃ方向から見た斜視図である。
【図６】本発明構成要素である連結部材の変更態様を示す水平断面図である。
【図７】本発明に係る楽器の第２実施形態を斜め上方から一部透視して示す斜視図である。
【符号の説明】
【００３２】
１…楽器、２…演奏操作部、３…枠体、３ａ…側部、３ｂ…口棒部、５…補強部材、６…脚柱、９…下地金属板、１２…連結部材、１６…ステー部材
【図１】
2005172973.tif 000003
【図２】
2005172973.tif 000004
【図３】
2005172973.tif 000005
【図４】
2005172973.tif 000006
【図５】
2005172973.tif 000007
【図６】
2005172973.tif 000008
【図７】
2005172973.tif 000009